(57)【要約】　　　（修正有）【課題】店内で使用したメニューをそのまま持ち帰って、メニュー内容を個人的に見るだけでなく職場の同僚等にも見せることができるようにし、高い宣伝効果及び集客力の増大を図ると共に、来店前に注文内容を決めて再来店したときに別の店に入るのを防止できるようにしたり、また団体利用の場合の予算の計算等を容易にする。【解決手段】飲食店で提供する品目３と、該飲食店に関するその他諸情報４とを名刺大の紙葉体５の両面に表示してなり、飲食店の利用者が持ち帰りかつ携帯を容易にしたことを特徴とする。【選択図】　　　　図１
0003097922.tif 000002
【実用新案登録請求の範囲】
【請求項１】
飲食店で提供する品目を名刺大の紙葉体に表示してなり、前記飲食店の利用者が持ち帰りかつ携帯を容易にしたことを特徴とする携帯用メニュー。
【請求項２】
飲食店で提供する品目と、該飲食店に関するその他の諸情報とを名刺大の紙葉体に表示してなり、前記飲食店の利用者が持ち帰りかつ携帯を容易にしたことを特徴とする携帯用メニュー。
【請求項３】
飲食店で提供する品目と、該飲食店に関するその他の諸情報とを名刺大の紙葉体の両面に表示してなり、前記飲食店の利用者が持ち帰りかつ携帯を容易にしたことを特徴とする携帯用メニュー。
【請求項４】
飲食店で提供する品目と、該飲食店に関するその他の諸情報とを折り畳んで名刺大となる紙葉体の両面に表示してなり、前記飲食店の利用者が持ち帰りかつ携帯を容易にしたことを特徴とする携帯用メニュー。
【考案の詳細な説明】
【０００１】
【考案の属する技術分野】
本考案は、飲食店で該飲食店の利用者に対し配布するための携帯用メニューに係り、特に利用者一人一人に配布できるため従来のように不特定の利用者と店との間でメニューが行き来することがなく衛生的であり、注文後もメニューを見て追加注文や料金の計算等を行うことができ、またメニューをそのまま持ち帰ることができるので、メニュー内容を個人的に見るだけでなく職場の同僚等にも見せることができ、高い宣伝効果及び集客力の増大が期待できると共に、来店前に注文内容を決めて再来店したときに別の店に入るのを防止できたり、また団体利用の場合の予算の計算等を容易にし得る携帯用メニューに関する。
【０００２】
【従来の技術】
従来の飲食店のメニューは、ある程度大きな用紙にその飲食店で提供される飲食物及びその価格等を文字や写真、イラストレーション等によって表したものである。
【０００３】しかし従来のメニューは、外観もよく、また内容的にもよくできている反面、作成に高いコストがかかっており、また内容の改訂が容易ではないことから、季節によるメニューの変更や流行の変化等に対して柔軟かつ迅速に対応できるようにものではなかった。そういった季節物等を提供する場合には、その料理を記載した別のメニューを何枚も作成して本来のメニューの間に挾んで利用者に見てもらうといったことが行われており、利用者側に混乱を与える結果となっていた。
【０００４】またメニューの利用形態としては、予め客席に備え付けておくこともあるが、利用者の来店時に手渡し、注文後に下げるということも行われており、この場合、メニューを下げるという作業が必要であった。いずれにしても、ある利用者が手に取ったメニューをまた次の利用者が手に取ってみるという行為が繰り返され、何のために食事の前に手を洗ったり拭いたりするのかわからないという衛生上の問題があった。
【０００５】更に従来のメニューは、基本的に店の備品であって、利用者が持ち帰ることができないものであったため、利用者は自分が食した料理についてはある程度記憶しているものの、メニューに記載されていた他の料理については印象が極く薄く、次回以降の食事の際には他店に行ってしまうことがあり、再び来店してもらうために何らかの方策が必要とされていた。
【０００６】従来利用者が持ち帰ることができるものといえば、店の名前や電話番号、地図等が記載されただけの紙葉体やマッチ等であって、携帯が容易な名刺大でありながら、メニューの品目等を具体的に記載したものは用いられていなかった。
【０００７】
【考案が解決しようとする課題】
本考案は、上記した従来技術の欠点を除くためになされたものであって、その目的とするところは、飲食店で提供する品目を名刺大の紙葉体に表示してなり、飲食店の利用者が持ち帰りかつ携帯を容易にすることによって、衛生的にメニューを配布できるようにすると共に、店内で使用したメニューをそのまま持ち帰り、該メニュー内容を個人的に見るだけでなく職場の同僚等にも見せることができるようにすることであり、またこれによって店の宣伝が随所で行われるようにして、一度来店した利用者の再来店を強力に促すと共に、集客力の増大を図ることである。
【０００８】また他の目的は、上記構成によって、来店前に注文内容を決めることができるようにして、再来店したときに別の店に入るのを防止できるようにすると共に、団体利用の場合の予算の計算等を容易にすることである。
【０００９】更に他の目的は、飲食店で提供する品目と、該飲食店に関するその他の諸情報とを名刺大の紙葉体に表示し、携帯を容易にすることによって、財布や名刺入れ、手帳等に入れておいて、食事に行く前にメニューの中身を確認して注文内容を決めておき、その店に到着後直ちに注文ができるようにしたり、また団体で行く場合に予算の計算等が容易にできるようにすることである。
【００１０】また他の目的は、飲食店で提供する品目と、該飲食店に関するその他の諸情報とを名刺大の紙葉体の両面に表示することによって、名刺大の紙葉体の限られたスペースを最大限利用した充実したメニューを提供できるようにすることである。
【００１１】更に他の目的は、飲食店で提供する品目と、該飲食店に関するその他の諸情報とを折り畳んで名刺大となる紙葉体の両面に表示することによって、名刺大の紙葉体の両面では入りきらないような多くの品目等の情報をできるだけ詳細にかつ見易く記載できるようにすることである。
【００１２】
【課題を解決するための手段】
要するに本考案（請求項１）は、飲食店で提供する品目を名刺大の紙葉体に表示してなり、前記飲食店の利用者が持ち帰りかつ携帯を容易にしたことを特徴とするものである。
【００１３】また本考案（請求項２）は、飲食店で提供する品目と、該飲食店に関するその他の諸情報とを名刺大の紙葉体に表示してなり、前記飲食店の利用者が持ち帰りかつ携帯を容易にしたことを特徴とするものである。
【００１４】また本考案（請求項３）は、飲食店で提供する品目と、該飲食店に関するその他の諸情報とを名刺大の紙葉体の両面に表示してなり、前記飲食店の利用者が持ち帰りかつ携帯を容易にしたことを特徴とするものである。
【００１５】また本考案（請求項４）は、飲食店で提供する品目と、該飲食店に関するその他の諸情報とを折り畳んで名刺大となる紙葉体の両面に表示してなり、前記飲食店の利用者が持ち帰りかつ携帯を容易にしたことを特徴とするものである。
【００１６】
【考案の実施の形態】
以下本考案を図面に示す実施例に基いて説明する。本考案に係る携帯用メニュー１は、図１から図５において、飲食店２で提供する品目３と、該飲食店に関するその他諸情報４とを名刺大の紙葉体５の両面に表示したものである。
【００１７】飲食店２は、例えば和食系の料理を提供する店であるので、品目３の内容が和食系のものになっているが、これに限るものではなく、洋食店や、中華料理店、フランス料理店、イタリア料理店、タイ料理店等であってもよく、また主として酒類を提供する店、ファーストフード店、ファミリーレストラン、クレープ店、たこ焼き店、ラーメン店又は料亭等、どのような分野の品目であってもよい。
【００１８】品目３は、例えば各品目の名称３ａ、価格３ｂ及びその写真３ｃにより構成されており、各品目の内容が一目瞭然に把握できるようになっている。各々の写真３ｃの縮尺は必ずしも統一する必要はなく、その写真３ｃが何を表示しているか理解できる大きさであれば、各写真３ｃ間で縮尺が違っていてもよい。またお勧めの品目があれば、その写真を大きく記載するようにしてもよい。
【００１９】なお、写真３ｃの代わりにイラストレーション等（図示せず）を使用してもよい。
【００２０】その他の諸情報４としては、店名４ａ、電話番号４ｂ、注意書き４ｃ等があり、品目３と共に紙葉体５の表面５ａ及び裏面５ｂに印刷されている。
【００２１】図１及び図２に示すように、名刺大の紙葉体５であっても、表面５ａ及び裏面５ｂを使用することで、限られたスペースを最大限利用することができ、例えば３４種類もの品目３を記載した充実したメニューとすることができる。なお、図示の品目３及び諸情報４の配置は一例に過ぎず、他の配置であってもよい。
【００２２】また名刺大の紙葉体５の両面では入りきらないような、更に多くの品目や店の地図等（図示せず）をできるだけ詳細にかつ見易く記載したい場合には、例えば折り畳むことで名刺大となるような紙葉体（図示せず）を用いてもよい。
【００２３】本考案は、上記のように構成されており、以下その作用について説明する。図１及び図２に示すように、携帯用メニュー１の表面５ａ及び裏面５ｂには、その店で提供される品目３の名称３ａ、価格３ｂ及びその写真３ｃが記載されているので、各品目３の内容を直感的に理解することができる。
【００２４】しかも携帯用メニュー１は、パーソナルコンピュータとプリンタ（いずれも図示せず）があれば、簡単に作成することができるので、安価であり、季節によるメニューの変更や流行の変化等に柔軟に対応して、容易に作り直すことができる。
【００２５】携帯用メニュー１の配布方法としては、いろいろなものが考えられるが、例えば各客席（図示せず）に備え付けておいて、利用者に自分で取ってもらうようにしたり、店員が利用者に対して１枚ずつ配布したり、図３に示すように、店を出るときに目に付き易いレジスタ８の横に備え付けておくようなことが考えられる。この他、店外で配布することも可能である。
【００２６】初めてその飲食店２を訪れた利用者６は、何らかの方法で配布された携帯用メニュー１を客席で見て、注文内容を店員に告げることになるが、一旦配布された携帯用メニュー１を利用者６の所有とすることで、注文後店員がその携帯用メニュー１を回収することはない。即ち携帯用メニュー１が不特定の利用者と店員との間で行き来することがないため、衛生的であると共に、追加注文や代金の計算等が容易であり、携帯用メニュー１をそのまま持ち帰ることが可能である。
【００２７】食事後、料金の精算時に、レジスタ８の横に携帯用メニュー１が備え付けられていれば、携帯用メニュー１を矢印Ａ方向に取って、例えば財布９のうちカード類１０を入れる場所の空きスペース１１に、矢印Ｂ方向に差し込んで容易に収納することができる。名刺大の大きさであるため、名刺入れや手帳等（図示せず）に収納することも可能であり、携帯することに全くストレスを感じることはない。
【００２８】利用者６は、飲食店２で配布された携帯用メニュー１を常に携帯することができるので、いつでもその品目３等を見ることができ、前回注文しなかった他の品目３についても見ることができるので、その飲食店２についての印象が深くなり、また今度その飲食店２に行きたいという気持ちになる。即ち、飲食店２への再来店が促されることになる。
【００２９】つまり、図４に示すように、食事時に、財布９内の携帯用メニュー１を手６ａでつまんで矢印Ｃ方向に取り出し、店名４ａや品目３等を見れば、注文内容を予め決めておくことができ、飲食店２の隣に飲食店１２，１３等が並んでいても、迷うことなく飲食店２に矢印Ｄ方向に向かうことになる。注文内容が予め決まっていれば、入店後直ちに注文をすることができ、忙しい利用者６にとっては早く食事にありつくことができ、飲食店２にとっては客の回転を速めることができる。
【００３０】また携帯用メニュー１は、自分だけでなく、例えば職場の同僚等（図示せず）にも見せることができるので、宣伝広告機能が高く、該同僚達と品目３を見合って注文内容を決めて予算の計算を行い、飲食店２に連れだって行くこともでき、集客力の増大が期待される。飲食店２に入れば、同僚達にも携帯用メニュー１が配布されるので、また該同僚達が他の人間を連れ立って来店するようになり、飛躍的に来客数が増え、更なる商売繁盛が期待される。
【００３１】
【考案の効果】
本考案は、上記のように飲食店で提供する品目を名刺大の紙葉体に表示し、飲食店の利用者が持ち帰りかつ携帯を容易にしたので、衛生的にメニューを配布できると共に、店内で使用したメニューをそのまま持ち帰り、該メニュー内容を個人的に見るだけでなく職場の同僚等にも見せることができる効果があり、またこの結果店の宣伝が随所で行われ、一度来店した利用者の再来店を強力に促すと共に、集客力の増大を図ることができる効果が得られる。
【００３２】また上記構成としたので、来店前に注文内容を決めることができ、再来店したときに別の店に入るのを防止できると共に、団体利用の場合の予算の計算等を容易に行うことができる効果が得られる。
【００３３】更に飲食店で提供する品目と、該飲食店に関するその他の諸情報とを名刺大の紙葉体に表示し、携帯を容易にしたので、財布や名刺入れ、手帳等に入れておいて、食事に行く前にメニューの中身を確認して注文内容を決めておき、その店に到着後直ちに注文ができるという効果があり、また団体で行く場合に予算の計算等が容易にできるという効果が得られる。
【００３４】また他の目的は、飲食店で提供する品目と、該飲食店に関するその他の諸情報とを名刺大の紙葉体の両面に表示したので、名刺大の紙葉体の限られたスペースを最大限利用した充実したメニューを提供できる効果が得られる。
【００３５】更に他の目的は、飲食店で提供する品目と、該飲食店に関するその他の諸情報とを折り畳んで名刺大となる紙葉体の両面に表示したので、名刺大の紙葉体の両面では入りきらないような多くの品目等の情報をできるだけ詳細にかつ見易く記載できるという効果がある。
【図面の簡単な説明】
【図１】携帯用メニューの表面を示す正面図である。
【図２】携帯用メニューの裏面を示す背面図である。
【図３】店のレジスター横に置かれた携帯用メニューを取って財布に収め持ち帰る状態を示す透視図である。
【図４】財布にしまっておいた携帯用メニューを取りだして店名を確認すると共に、注文する品目を決め、他の店には目もくれずにその店に向かう状態を示す斜視図である。
【符号の説明】
１　　携帯用メニュー
２　　飲食店
３　　品目
４　　諸情報
５　　紙葉体
６　　利用者
【図１】
0003097922.tif 000003
【図２】
0003097922.tif 000004
【図３】
0003097922.tif 000005
【図４】
0003097922.tif 000006